【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
ツールアセンブリであって、以下：
第一のジョーおよび第二のジョーを含む一対のジョーであって、該ジョーの各々が、近位端および遠位端を有し、該第一のジョーおよび第二のジョーが、間隔を空けた位置と接近した位置との間で、互いに対して可動である、一対のジョー、
該第一のジョーおよび第二のジョーの１つのジョーに支持された、第一のカム従動子および第二のカム従動子、ならびに
接近部材であって、該第一のカム従動子および第二のカム従動子を係合するように位置付けられた少なくとも１つのカム表面を備え、該接近部材は、該第一のカム従動子および第二のカム従動子に対して少なくとも１つのカム表面を移動させるように可動である、接近部材、
を備え、
ここで、該接近部材は、該第一のカム従動子および第二のカム従動子に対して少なくとも１つのカム表面を移動させて、該間隔を空けた位置と該接近位置との間で該第一ジョーおよび第二ジョーの動きをもたらすように可動であり、該少なくとも１つのカム表面が、該第一のジョーおよび第二のジョーの近位端の接近の前に、該第一のジョーおよび第二のジョーの遠位端を接近するように構成される、
ツールアセンブリ。
【請求項２】
請求項１に記載のツールアセンブリであって、前記第一のジョーが、アンビルを備え、前記第二のジョーが、カートリッジアンブリを備え、該カートリッジアセンブリが、複数のステープルを収容する、ツールアセンブリ。
【請求項３】
請求項１または２に記載のツールアセンブリであって、前記少なくとも１つのカム表面が、少なくとも１つのカムチャネルを備える、ツールアセンブリ。
【請求項４】
請求項３に記載のツールアセンブリであって、前記少なくとも１つのカムチャネルが、第一のカムチャネルおよび第二のカムチャネルを備える、ツールアセンブリ。
【請求項５】
請求項１に記載のツールアセンブリであって、前記接近部材が、中に形成された少なくとも１つのカム表面を有する平坦なプレートを備える、ツールアセンブリ。
【請求項６】
請求項５に記載のツールアセンブリであって、前記第一のジョーが、その近位端に形成された長手方向スロットを備え、前記接近部材が、該長手方向スロットにスライド可能に位置付けられた、ツールアセンブリ。
【請求項７】
請求項６に記載のツールアセンブリであって、前記第一のカム従動子および第二のカム従動子は、第一のジョーの近位端上に支持され、そして前記少なくとも１つのカム表面に隣接した長手方向スロットを超えて延びる、ツールアセンブリ。
【請求項８】
請求項７に記載のツールアセンブリであって、前記少なくとも１つのカム表面が、第一のカムチャネルおよび第二のカムチャネルを備え、該第一のカム従動子が、該第一のカムチャネルを通って延び、そして該第二のカム従動子が、該第二のカムチャネルを通って延びる、ツールアセンブリ。
【請求項９】
請求項１に記載のツールアセンブリであって、本体部分をさらに備え、該ツールアセンブリが、関節によって該本体部分に旋回可能に取り付けられる、ツールアセンブリ。
【請求項１０】
請求項９に記載のツールアセンブリであって、前記本体部分が、外科用ステープリングデバイスの遠位端を形成する、ツールアセンブリ。
【請求項１１】
請求項１、９、および１０のいずれか一項に記載のツールアセンブリであって、前記本体部分が、使い捨て装填ユニットの近位部分を形成する、ツールアセンブリ。
【請求項１２】
外科用デバイスであって、以下：
長手方向軸を規定する、本体部分；
ツールアセンブリであって、アンビル、複数のステープルを収容するカートリッジアセンブリおよび動的締め付け部材を備え、該アンビルおよびカートリッジアセンブリが、間隔を空けた位置と接近位置との間で互いに対して可動であり、該動的締め付け部材が、該ステープルを該カートリッジアセンブリから出すために、該アンビルおよび該カートリッジアセンブリに対して可動であり、該ツールアセンブリが、該本体部分に旋回可能に取り付けられ、該本体部分の長手方向軸と整列した位置から、該本体部分の長手方向軸に対して一定の角度に向いた位置へ、本体部分に対して旋回可能である、ツールアセンブリ；ならびに
該本体部分および該ツールアセンブリを少なくとも部分的に通って延びる関節および発射アクチュエータであって、該関節および発射アクチュエータが、該動的締め付け部材および該ツールアセンブリと作動可能に関連し、該本体部分に対して該ツールアセンブリを選択可能に旋回し、そして該カートリッジアセンブリからステープルを出すために該ツールアセンブリに対して該動的締め付け部材を移動させるために、それらに対する関係で移動可能である、関節および発射アクチュエータ、
を備える、外科用デバイス。
【請求項１３】
請求項１２に記載の外科用デバイスであって、前記関節および発射アクチュエータが、第１末端部分、中心部分および第２末端部分を有する可撓性バンドを備え、該第１末端部分が、前記本体部分を少なくとも部分的に通り、そして前記カートリッジアセンブリを通って延び、該中心部分が、該第１末端部分から延び、前記動的締め付け部材と作動可能に関連し、そして該第２末端部分が、該中心部分から、該カートリッジアセンブリを通り、そして該本体部分を少なくとも部分的に通り、該第１末端に隣接した位置に延びる、外科用デバイス。
【請求項１４】
請求項１３に記載の外科用デバイスであって、前記関節および発射アクチュエータが、前記ツールアセンブリと作動可能に関連し、その結果、他の端部の近位への独立した、該可撓性バンドの前記第１末端部分または前記第２末端部分のいずれかの移動が、前記本体部分に対して該ツールアセンブリの関節の動きをもたらし、そして該可撓性バンドの第１末端部分および第２末端部分の両方の動きが、前記カートリッジアセンブリから前記ステープルを出すための前記動的締め付け部材の移動をもたらす、外科用デバイス。
【請求項１５】
請求項１２〜１４のいずれか一項に記載の外科用デバイスであって、前記ツールアセンブリと作動可能に関連する接近部材をさらに備え、そして前記アンビルおよびカートリッジアセンブリを前記間隔を空けた位置から前記接近位置へと移動させるために、該ツールアセンブリに対して可動である、外科用デバイス。
【請求項１６】
請求項１〜１５のいずれか一項に記載のツールアセンブリであって、該ツールアセンブリが、使い捨て装填ユニットを備える、ツールアセンブリ。
【請求項１７】
外科用デバイスであって、以下：
ツールアセンブリであって、該ツールアセンブリは、第一のジョーおよび第二のジョーを含み、該ジョーの各々が、近位端および遠位端を有し、該第一のジョーが、間隔を空けた位置と接近した位置との間で、該第二のジョーに対して可動である、ツールアセンブリ；
該第一のジョーおよび第二のジョーの１つのジョーに支持された、第一のカム従動子および第二のカム従動子、
接近部材であって、該第一のカム従動子および第二のカム従動子を係合するように位置付けられた少なくとも１つのカム表面を備え、該接近部材は、該第一のカム従動子および第二のカム従動子に対して少なくとも１つのカム表面を移動させるように可動であり、該間隔を空けた位置と該接近位置との間で該第一ジョーおよび第二ジョーの動きをもたらす、接近部材；ならびに
動的締め付け部材であって、該動的締め付け部材が、該第一のジョーおよび第二のジョーと作動可能に連結し、そして該ツールアセンブリを作動し、該動的締め付け部材に近接した位置において該第一のジョーと第二のジョーとの間で所望のギャップを維持するように、該第一のジョーおよび第二のジョーに対して可動である、動的締め付け部材、
を備える、外科用デバイス。
【請求項１８】
請求項１７に記載の外科用デバイスであって、前記第一のジョーが、アンビルを備え、前記第二のジョーが、複数のステープルを有するカートリッジアンブリを備え、前記動的締め付け部材が、該カートリッジアセンブリから複数のステープルを出すために該カートリッジアセンブリに対して可動である、外科用デバイス。
【請求項１９】
請求項１８に記載の外科用デバイスであって、前記動的締め付け部材が、前記カートリッジアセンブリをスライド可能に係合するために、前記アンビルおよび下側フランジをスライド可能に係合するように配置された上側フランジを備える、外科用デバイス。
【請求項２０】
請求項１９に記載の外科用デバイスであって、前記第一のカム従動子および第二のカム従動子が、前記アンビルの近位端上に支持される、外科用デバイス。